(57)【要約】  【課題】  同一の装置を用いて複数人がそれぞれ異なるコンテンツを同時に視聴する際に、一つの表示画面にそれぞれのコンテンツに関する操作情報を同時に表示する。  【解決手段】  同時に複数の曲を再生可能なオーディオ本体１０を有し、オーディオ本体１０により再生される複数の曲に対応する操作情報を表示するフロントディスプレイ１１やリアディスプレイ２２では、オーディオ信号制御部１４により、複数の操作情報ごとに、フロントディスプレイ１１やリアディスプレイ２２の表示領域を分割して割り当てて、操作情報を表示する。  【選択図】  図１
2006012366.tif 000002
【特許請求の範囲】
【請求項１】
複数の異なる信号を同時に出力可能な機器に接続され、当該機器により信号が出力される出力先の数を認識する出力数認識手段と、
前記出力数認識手段によって認識された前記出力先の数に応じて、操作情報を表示するための表示画面の表示領域を分割して表示する表示手段と
を備えたことを特徴とする操作情報表示装置。
【請求項２】
前記機器からの出力信号を入力する外部入力手段をさらに備え、
前記出力数認識手段は、前記機器に接続される当該外部入力手段の数に基づいて、前記出力先の数を認識することを特徴とする請求項１記載の操作情報表示装置。
【請求項３】
前記機器への操作信号を出力する遠隔操作手段をさらに備え、
前記出力数認識手段は、当該機器に入力される当該遠隔操作手段からの操作信号に基づいて、前記出力先の数を認識することを特徴とする請求項１記載の操作情報表示装置。
【請求項４】
操作者の個人認証情報が記録された記録媒体からの信号を読み取る個人認証情報読取手段をさらに備え、
前記出力数認識手段は、前記個人認証情報読取手段によって読み込まれた当該個人認証情報に基づいて、前記出力先の数を認識することを特徴とする請求項１記載の操作情報表示装置。
【請求項５】
前記出力数認識手段は、前記出力先の位置をも認識し、前記表示手段は、当該出力数認識手段によって認識された当該出力先の位置に対応させて、分割された前記表示領域を割り当てることを特徴とする請求項１記載の操作情報表示装置。
【請求項６】
同時に複数の音声データを再生可能なオーディオ再生手段と、
再生される前記複数の音声データに対応する操作情報を表示する表示画面を有する表示手段と、
複数の前記操作情報ごとに、前記表示手段の表示画面における表示領域を分割して割り当てる画面割当手段と
を備えたことを特徴とするオーディオ再生装置。
【請求項７】
前記オーディオ再生手段によって再生される前記複数の音声データを出力する出力先の数を認識する出力数認識手段をさらに備え、
前記画面割当手段は、当該出力数認識手段によって認識される出力先の数に応じて、前記表示領域を分割することを特徴とする請求項６記載のオーディオ再生装置。
【請求項８】
前記オーディオ再生手段によって再生された音声データを個別に入力して音声を出力する個別音声手段と、当該個別音声手段を前記オーディオ再生手段に接続する複数のオーディオ出力端子とをさらに備え、
前記出力数認識手段は、当該オーディオ出力端子に接続される前記個別音声手段の数に基づいて、前記出力先の数を認識することを特徴とする請求項７記載のオーディオ再生装置。
【請求項９】
前記オーディオ再生手段への操作信号を出力する遠隔操作手段と、当該遠隔操作手段からの操作信号を受信する遠隔信号受信手段とをさらに備え、
前記出力数認識手段は、当該遠隔操作手段からの信号に基づいて、前記出力先の数を認識することを特徴とする請求項７記載のオーディオ再生装置。
【請求項１０】
前記オーディオ再生手段によって再生された音声データを聴取する操作者の個人認証情報が記録された個人情報記録媒体から信号を読み取る個人情報読取手段をさらに備え、
前記出力数認識手段は、前記個人情報読取手段によって読み込まれた当該個人認証情報に基づいて、前記出力先の数を認識することを特徴とする請求項７記載のオーディオ再生装置。
【請求項１１】
前記画面割当手段は、前記個人情報読取手段によって読み込まれた当該個人認証情報に基づいて、前記表示手段の表示画面における表示領域の割り当て位置を変更することを特徴とする請求項１０記載のオーディオ再生装置。
【請求項１２】
前記オーディオ再生装置は自動車内に設置され、前記オーディオ再生手段は自動車内の座席ごとに再生された前記音声データを出力可能に構成されたことを特徴とする請求項７記載のオーディオ再生装置。
【請求項１３】
前記出力数認識手段は、前記音声データが出力される前記座席の位置をさらに認識し、前記画面割当手段は、当該出力数認識手段によって認識された当該座席の位置に対応させて、前記表示手段の表示画面における表示領域を割り当てることを特徴とする請求項１２記載のオーディオ再生装置。
【請求項１４】
複数の異なる信号を同時に出力する機器から、当該信号が出力される出力先の数を認識する出力数認識ステップと、
前記出力数認識ステップによって認識された前記出力先の数に応じて、前記機器における操作情報を表示する表示画面における表示領域を分割して割り当てる画面割当ステップと、
前記画面割当ステップによって割り当てられた前記表示領域ごとに、前記機器から出力される信号に関する操作情報を表示する操作情報表示ステップと
を有することを特徴とする操作情報の表示方法。
【請求項１５】
前記出力数認識ステップは、オーディオ再生機器から同時に再生される複数の音声データが出力される出力先の数を認識することを特徴とする請求項１４記載の操作情報の表示方法。
【発明の詳細な説明】
【技術分野】
【０００１】
本発明は、例えば車載用のオーディオ再生装置等に適用される操作情報表示装置等に関し、特に複数の異なる操作情報を表示することができる操作情報表示装置等に関する。
【背景技術】
【０００２】
従来、例えば車載オーディオ再生装置（カーオーディオ装置）においては、液晶表示パネル等のディスプレイに現在再生中の曲の情報等が表示されるように構成して、ユーザの使い勝手の向上を図っている。
具体的には、例えばカーオーディオ装置では、ディスク状記録媒体であるコンパクトディスク（ＣＤ: Compact Disk）において、最内周のＴＯＣ（Table Of Contents）に、記録された各曲を順次特定するトラック番号や各曲の記録時間等が記録されていることを利用している。そして、現在再生中の曲のトラック番号、その曲の再生開始からの再生時間、その曲の残り時間、アーティスト名等といったコンテンツ情報を、カーオーディオ装置のディスプレイに表示している。
また、ユーザの操作により、このようなコンテンツ情報の表示に代えて、スペクトルアナライザの形式によって信号レベルを画像表示したり、音量を画像表示することで、このような曲のコンテンツ情報を提供するディスプレイを有効に利用して、車内の音響雰囲気を盛り上げることも可能となっている。
【０００３】
ここで、ディスプレイにコンテンツ情報を表示する従来技術として、音楽を再生する場合には、再生する曲のトラックナンバーや再生時間を表示し、テレビ放送やラジオ放送の場合には、チャンネルや放送局名を表示し、さらには、ＣＤ、ＭＤ(Mini Disk)、ＤＶＤ（Digital Versatile Disk）等の記録媒体に記録されたオーディオデータを表示することができるナビゲーション装置に関する技術が存在する（例えば、特許文献１参照）。
【０００４】
【特許文献１】特開２００４−１３２７４１号公報(第３-６頁、図３)
【発明の開示】
【発明が解決しようとする課題】
【０００５】
ところで、例えば従来のオーディオ再生装置では、一つの記録媒体から一つのコンテンツを再生する機能しかなく、異なる記録媒体から複数の異なるコンテンツを同時に再生したり、一つの記録媒体から複数の異なるコンテンツを同時に再生することは行なわれていなかった。そのため、操作画面においても、上記した特許文献１のように、再生されている一つのコンテンツに関する情報を表示するだけで充分であることから、一画面が用意されているだけであった。
【０００６】
しかしながら、例えば一つのオーディオ再生装置において、同時に異なる複数のコンテンツを再生することが可能となるように構成し、複数人がそれぞれの好みに応じたコンテンツを個別に視聴するという、所謂マルチエンターテイメントというスタイルが今後普及することが予想されている。
このような複数人がそれぞれの好みに応じたコンテンツを個別に視聴するといったシステムでは、操作画面が従来のように一画面のみでは、個々人が自分の視聴しているコンテンツに関する情報を得ようとする場合に、いちいち画面を切り替える必要が生じる。また、その場合には、画面を切り替える間においては、それ以外の視聴者は、自分の視聴しているコンテンツに関する情報を把握できない等の不便が生じることとなる。
これに対し、個々人がリモートコントローラ装置（リモコン）を用いるシステムも考えられるが、リモコンの操作画面は画面サイズが小さいため、自分の視聴したいと思うコンテンツに辿りつくのに手間や時間がかかり、非常に使い勝手が悪いものとなるという不都合がある。
【０００７】
そこで本発明は、以上のような技術的課題を解決するためになされたものであり、その目的とするところは、同一の装置を用いて複数人がそれぞれ異なるコンテンツを同時に視聴する際に、一つの表示画面にそれぞれのコンテンツに関する操作情報を同時に表示することにある。
また他の目的は、同時に異なるコンテンツを視聴する視聴者の人数に対応させて、表示画面の表示領域を有効に活用することにある。
【課題を解決するための手段】
【０００８】
かかる目的のもと、本発明の操作情報表示装置は、複数の異なる信号を同時に出力可能な機器に接続され、かかる機器により信号が出力される出力先の数を出力数認識手段により認識し、出力数認識手段によって認識された出力先の数に応じて、表示手段は操作情報を表示するための表示画面の表示領域を分割して表示することを特徴としている。
【０００９】
ここで、機器からの出力信号を入力する外部入力手段をさらに備え、出力数認識手段は、機器に接続される外部入力手段の数に基づいて、出力先の数を認識することができる。また、機器への操作信号を出力する遠隔操作手段をさらに備え、出力数認識手段は、機器に入力される遠隔操作手段からの操作信号に基づいて、出力先の数を認識することもできる。さらに、操作者の個人認証情報が記録された記録媒体からの信号を読み取る個人認証情報読取手段をさらに備え、出力数認識手段は、個人認証情報読取手段によって読み込まれた個人認証情報に基づいて、出力先の数を認識することもできる。
また、出力数認識手段は、出力先の位置をも認識し、表示手段は、出力数認識手段によって認識された出力先の位置に対応させて、分割された表示領域を割り当てることができる。
【００１０】
また、本発明をオーディオ再生装置として捉え、本発明のオーディオ再生装置は、同時に複数の音声データを再生可能なオーディオ再生手段を有し、オーディオ再生手段により再生される複数の音声データに対応する操作情報を表示する表示画面を有する表示手段では、画面割当手段により、複数の操作情報ごとに、表示手段の表示画面における表示領域を分割して割り当てて、操作情報を表示することを特徴としている。
【００１１】
ここで、オーディオ再生手段によって再生される複数の音声データを出力する出力先の数を認識する出力数認識手段をさらに備え、画面割当手段は、出力数認識手段によって認識される出力先の数に応じて、表示領域を分割することができる。
その際に、オーディオ再生手段によって再生された音声データを個別に入力して音声を出力する個別音声手段と、個別音声手段をオーディオ再生手段に接続する複数のオーディオ出力端子とをさらに備え、出力数認識手段は、オーディオ出力端子に接続される個別音声手段の数に基づいて、出力先の数を認識することができる。また、オーディオ再生手段への操作信号を出力する遠隔操作手段と、遠隔操作手段からの操作信号を受信する遠隔信号受信手段とをさらに備え、出力数認識手段は、遠隔操作手段からの信号に基づいて、出力先の数を認識することもできる。さらに、オーディオ再生手段によって再生された音声データを聴取する操作者の個人認証情報が記録された個人情報記録媒体から信号を読み取る個人情報読取手段をさらに備え、出力数認識手段は、個人情報読取手段によって読み込まれた個人認証情報に基づいて、出力先の数を認識することもできる。特に、画面割当手段は、個人情報読取手段によって読み込まれた個人認証情報に基づいて、表示手段の表示画面における表示領域の割り当て位置を変更することもできる。
【００１２】
また、オーディオ再生装置は自動車内に設置され、オーディオ再生手段は自動車内の座席ごとに再生された音声データを出力可能に構成されたことを特徴とすることができる。その場合にも、出力数認識手段は、音声データが出力される座席の位置をさらに認識し、画面割当手段は、出力数認識手段によって認識された座席の位置に対応させて、表示手段の表示画面における表示領域を割り当てることができる。
【００１３】
さらに、本発明を操作情報の表示方法として捉え、本発明の操作情報の表示方法は、複数の異なる信号を同時に出力する機器から、信号が出力される出力先の数を認識する出力数認識ステップと、出力数認識ステップによって認識された出力先の数に応じて、機器における操作情報を表示する表示画面における表示領域を分割して割り当てる画面割当ステップと、画面割当ステップによって割り当てられた表示領域ごとに、機器から出力される信号に関する操作情報を表示する操作情報表示ステップとを有することを特徴としている。ここで、出力数認識ステップは、オーディオ再生機器から同時に再生される複数の音声データが出力される出力先の数を認識することを特徴とすることができる。
【発明の効果】
【００１４】
本発明の効果として、同一の装置を用いて複数人が同時に視聴する異なるコンテンツに関する情報を、一つの表示画面に同時に表示することができるので、個々人が視聴したいコンテンツを容易に選択することが可能となった。また、同時に異なるコンテンツを視聴する視聴者の人数に対応させて、表示画面の表示領域を有効に活用することで、必要なコンテンツ情報のみを見易く表示することが可能となった。
【発明を実施するための最良の形態】
【００１５】
以下、添付図面を参照して、本発明の実施の形態について詳細に説明する。
図１は、本実施の形態が適用される車載オーディオシステムを示した概略構成図である。図１に示す車載オーディオシステムは、オーディオシステム本体部１、およびオーディオシステム本体部１に接続されるキーシステム部２により構成されている。
オーディオシステム本体部１は、ＣＤ（Compact Disk）やＤＶＤ（Digital Versatile Disk）等の記録媒体に記録されたオーディオ信号（音声データ）を再生するオーディオ再生手段の一例としてのオーディオ本体１０、再生されているか、または再生され得るコンテンツ（曲）に関する操作情報を表示する前列座席側に配置される表示手段の一例としてのフロントディスプレイ１１、個別音声手段（外部入力手段）の一例としてのヘッドフォンが接続されるオーディオ出力端子の一例としてのヘッドフォンジャック１２Ｒ、１２Ｌから構成されている。ここでは、前列座席用に２人分のヘッドフォンが接続可能な構成を示しているが、３人分以上のヘッドフォンを接続可能に構成することもできる。
【００１６】
また、キーシステム部２は、後列座席の各座席毎に配設された、オーディオシステム本体部１へのユーザからの指示を受け付ける後列右座席キー操作部２１Ｒと後列左座席キー操作部２１Ｌ、再生されているか、または再生され得るコンテンツに関する操作画面を表示する後列座席側に配置される表示手段の一例としてのリアディスプレイ２２、後列右座席キー操作部２１Ｒと後列左座席キー操作部２１Ｌとにそれぞれ設けられて、ヘッドフォンが接続されるオーディオ出力端子の一例としてのヘッドフォンジャック２３Ｒ、２３Ｌから構成されている。ここでは、後列座席用に２人分のキー操作部（後列右座席キー操作部２１Ｒおよび後列左座席キー操作部２１Ｌ）と、それに対応したヘッドフォンが接続可能な構成を示しているが、３人分以上のキー操作部およびヘッドフォンを接続可能にした構成とすることもできる。
【００１７】
まず、オーディオシステム本体部１の構成について説明する。図２は、オーディオシステム本体部１の構成を示したブロック図である。図２に示すように、オーディオシステム本体部１のオーディオ本体１０は、ＣＤやＤＶＤ等の記録媒体の動作制御および読み取り制御と、記録媒体から読み取られたオーディオ信号の処理とを行うメカニカルコントロール１３、処理されたオーディオ信号を自動車内用の音声に加工するべく制御し、これを増幅して出力するオーディオ信号制御部１４、ラジオ放送やテレビ方法を受信するチューナ１５、ユーザからの指示を受け付ける操作パネル１６、遠隔操作手段の一例としてのリモートコントローラ（不図示）からの赤外線信号を受光する遠隔信号受信手段の一例としてのリモートコントローラ受信部１７、各種のコンテンツ（曲）に関する情報をフロントディスプレイ１１およびキーシステム部２のリアディスプレイ２２に出力するディスプレイ制御部１８、さらには各部を制御するシステムコントローラ１９で構成されている。
【００１８】
メカニカルコントロール１３では、ＣＤやＤＶＤ等の記録媒体（ディスク）１３１が装填されると、ディスク１３１は、スピンドルモータ１３２により回転される。その際に、スピンドルモータ１３２の回転は、メカニカル制御部１３３により、ディスク１３１の線速度が所定の速度となるように制御される。また、ディスク１３１の一方の面には、ディスク１３１に記録されたオーディオ信号を読み取る光ピックアップ１３４が対向して配置されている。そして、メカニカル制御部１３３により、この光ピックアップ１３４のフォーカスおよびトラッキングが制御されるとともに、不図示の送りモータにより、ディスク１３１の半径方向への移動が制御される。
本実施の形態のメカニカルコントロール１３は、一つのディスク１３１から複数のオーディオソースを同時に抽出することができるように構成されている。その際には、メカニカル制御部１３３は、複数のオーディオソースを順次交互に読み込むために、スピンドルモータ１３２の回転数を高速に設定するとともに、ディスク１３１における複数の異なるトラック間を、光ピックアップ１３４が交互にステッピング移動するように制御している。
【００１９】
光ピックアップ１３４により読み込まれたオーディオ信号は、一旦メモリ１３５に取り込まれる。その際に、メモリ１３５では、ディスク１３１上の異なる複数のトラックから読み取られたオーディオ信号がそれぞれ異なるアドレスに記録される。メモリ１３５に取り込まれたオーディオ信号は、その後、データ処理部１３６においてデコード等の処理が行われる。また、データ処理部１３６は、場合により、読み込まれたオーディオ信号を直接処理することも行われる。そして、データ処理部１３６により処理されたオーディオ信号は、オーディオ信号制御部１４へ出力される。
また、データ処理部１３６は、ディスク１３１のＴＯＣ（Table Of Contents）に記録された各曲を特定するトラック番号や各曲の演奏時間、曲名等の情報を後段で述べるディスプレイ制御部１８に出力する。
ここで、メカニカル制御部１３３およびデータ処理部１３６での処理は、システムコントローラ１９の制御に基づいて実行される。
【００２０】
オーディオ信号制御部１４では、メカニカルコントロール１３から出力されたオーディオ信号を、まず音声制御部１４１において処理する。音声制御部１４１では、例えば、コンサートモード、ホールモード、ジャズモードといった音声制御部１４１に事前に登録されたモードにオーディオ信号を加工し、自動車内におけるユーザの好みに合った音響モードの設定を行なう。その際のモード設定の切り替えは、ユーザからの操作パネル１６による設定や、リモートコントローラ受信部１７において受信された設定により、システムコントローラ１９が音声制御部１４１に必要な設定情報を出力し、音声制御部１４１を制御することで実行される。そして、音声制御部１４１で加工されたオーディオ信号は、電子ボリューム１４２に出力される。
【００２１】
電子ボリューム１４２では、システムコントローラ１９の制御により、入力されるオーディオ信号を演算処理することにより、このオーディオ信号の周波数特性を補正し、音量を可変して増幅器（ＡＭＰ）１４３に出力する。また、システムコントローラ１９の制御に基づき、ＡＭＰ１４３へ出力するかしないかの選択も行なう。
さらに、ユーザによりラジオ放送の受信が指示されると、システムコントローラ１９の制御によりチューナ１５にユーザの所望する放送波の受信を指示し、その結果得られる放送波によるチューナ信号を電子ボリューム１４２に入力する。そして、電子ボリューム１４２は、システムコントローラ１９の制御に基づき、チューナ１５により受信したチューナ信号と、音声制御部１４１から入力されたオーディオ信号とのいずれかを選択して、ＡＭＰ１４３へ出力する。
【００２２】
ＡＭＰ１４３は、電子ボリューム１４２から入力されたオーディオ信号を増幅して、スピーカ１４４やヘッドフォンジャック１２Ｒ、１２Ｌ、２３Ｒ、２３Ｌを介してヘッドフォンに出力する。すなわち、オーディオシステム本体部１に配設されたヘッドフォンジャック１２Ｒ、１２ＬはＡＭＰ１４３に接続されており、接続されたヘッドフォンに対しＡＭＰ１４３からのオーディオ信号を出力することができる。
また、システムコントローラ１９の制御に基づき、ミュート１４５を制御することで、ＡＭＰ１４３からスピーカ１４４やヘッドフォンジャック１２Ｒ、１２Ｌ、２３Ｒ、２３Ｌへの出力を制限することができる。
ディスプレイ制御部１８は、システムコントローラ１９からの指示を受け、メカニカルコントロール１３のデータ処理部１３６より出力される、ディスク１３１のＴＯＣ（Table Of Contents）に記録された各曲を特定するトラック番号や各曲の演奏時間、曲名等の情報、さらにはディスク（ＣＤ、ＤＶＤ）１３１、チューナ１５といった使用ソースに関する情報をフロントディスプレイ１１およびキーシステム部２のリアディスプレイ２２に表示する。
【００２３】
一方、操作パネル１６は、フロントディスプレイ１１やキーシステム部２のリアディスプレイ２２の表示画面にタッチパネル、タッチスクリーン等を含むタブレットを使用し、画面に触れることで選曲、音量調整、バランス調整等の各種入力を行えるように構成されている。なお、操作パネル１６は、フロントディスプレイ１１やリアディスプレイ２２の表示画面とは別体に構成することもできる。
リモートコントローラ受信部１７は、リモートコントローラから出力される赤外線信号を受光して、リモートコントローラに入力された指示信号をシステムコントローラ１９に出力する。
【００２４】
続いて、キーシステム部２の構成について説明する。図３は、キーシステム部２の構成を示したブロック図である。図３に示すように、キーシステム部２は、後列座席の左右それぞれに配置された後列右座席キー操作部２１Ｒと後列左座席キー操作部２１Ｌ、さらに再生されている、または再生され得るコンテンツ（曲）に関する操作情報を表示する後列座席側のリアディスプレイ２２により構成されている。
後列右座席キー操作部２１Ｒは、オーディオシステム本体部１のオーディオ本体１０へのユーザからの指示を受け付ける後列右座席キー入力部２４Ｒ、個人認証情報が記録された記録媒体の一例としてのＦｅｌｉＣａからの情報を受け取る個人認証情報読取手段の一例としての後列右座席ＦｅｌｉＣａ受信部２５Ｒ、ヘッドフォンが接続されるヘッドフォンジャック２３Ｒで構成されている。後列左座席キー操作部２１Ｌも同様に、後列左座席キー入力部２４Ｌ、後列左座席ＦｅｌｉＣａ受信部２５Ｌ、ヘッドフォンジャック２３Ｌで構成されている。
【００２５】
後列右座席キー入力部２４Ｒおよび後列左座席キー入力部２４Ｌには、スタート、ストップ、早送り、巻き戻し、アルバムスキップ等の必要なスイッチが設けられ、オーディオ本体１０に対して必要な指示を出力することができる。後列右座席ＦｅｌｉＣａ受信部２５Ｒおよび後列左座席ＦｅｌｉＣａ受信部２５Ｌは、それぞれのユーザが有するＦｅｌｉＣａからの情報を受け、個人識別や個人認証を行なうことができる。
また、ヘッドフォンジャック２３Ｒおよびヘッドフォンジャック２３Ｌは、オーディオシステム本体部１のＡＭＰ１４３に接続されており、接続されたヘッドフォンに対しＡＭＰ１４３からのオーディオ信号を出力することができる。
なお、本実施の形態では、後列座席が２座の場合に対応した構成を想定したが、例えば、３列の座席を有する所謂ＲＶ車のような７〜８座席を有する場合には、その座席の数に応じてキー操作部、ディスプレイ、ヘッドフォンジャックを構成することができる。
【００２６】
続いて、本実施の形態の車載オーディオシステムでのフロントディスプレイ１１およびリアディスプレイ２２における操作画面の表示方法について説明する。本実施の形態の車載オーディオシステムでは、フロントディスプレイ１１およびリアディスプレイ２２の表示画面上に、操作するユーザ（出力先）の数に応じた複数の操作情報を同時に表示することができることを特徴としている。
【００２７】
まず、オーディオシステム本体部１のヘッドフォンジャック１２Ｒ、１２Ｌ、さらにはキーシステム部２のヘッドフォンジャック２３Ｒ、２３Ｌにヘッドフォンが接続されると、ヘッドフォンが接続されたことを検出する信号がオーディオ本体１０のシステムコントローラ１９に出力される。
図４は、ヘッドフォンの接続を検出する構成を示した図である。図４に示すように、ヘッドフォンジャック１２Ｒ（１２Ｌ、２３Ｒ、２３Ｌ）には、それぞれスイッチが配設されている。そして、ヘッドフォンのヘッドフォン端子がヘッドフォンジャック１２Ｒに挿入されると、ヘッドフォン端子がスイッチを電源側に接続させ、システムコントローラ１９に対してＯＮ信号が出力される。それと同時に、ヘッドフォン端子はＡＭＰ１４３と接続される（図４（ａ））。一方、ヘッドフォン端子がヘッドフォンジャック１２Ｒに挿入されていなければ、スイッチは接地側に接続されるように構成されており、システムコントローラ１９に対してＯＦＦ信号が出力される（図４（ｂ））。このようにして、ヘッドフォンジャック１２Ｒ、１２Ｌ、２３Ｒ、２３Ｌから、ヘッドフォンの接続を検出するヘッドフォン接続信号がシステムコントローラ１９に出力される。
【００２８】
システムコントローラ１９は、ヘッドフォンジャック１２Ｒ、１２Ｌ、２３Ｒ、２３Ｌからのヘッドフォン接続信号を受けて、接続されたヘッドフォンの数やどの座席にヘッドフォンが接続されたかを判断し、その情報をディスプレイ制御部１８に出力する。このように、システムコントローラ１９は、ヘッドフォンジャック１２Ｒ（１２Ｌ、２３Ｒ、２３Ｌ）のような、オーディオ本体１０から出力されるオーディオ信号（音声データ）の出力先の数を認識する出力数認識手段として機能する。
ディスプレイ制御部１８は、システムコントローラ１９からの情報に基づいて、フロントディスプレイ１１およびリアディスプレイ２２の画面表示領域を、接続されたヘッドフォンの数に応じて分割して、接続されたそれぞれのヘッドフォンに対応して分割された画面表示領域を割り当てる。分割された画面表示領域の割り当てに際しては、ヘッドフォンが接続された座席の位置を考慮する。すなわち、例えば前列左座席と後列右座席とにヘッドフォンが接続された場合には、フロントディスプレイ１１およびリアディスプレイ２２の画面表示領域を左右２分割し、前列左座席のユーザ用には左側の画面表示領域を割り当て、後列右座席のユーザ用には右側の画面表示領域を割り当てる。このように、ディスプレイ制御部１８は、フロントディスプレイ１１およびリアディスプレイ２２の表示画面における表示領域を分割して割り当てる画面割当手段として機能する。
【００２９】
そして、画面表示領域が割り当てられたフロントディスプレイ１１およびリアディスプレイ２２の画面には、それぞれの領域に、接続されたヘッドフォンにおいて再生されている曲、または再生され得る曲のトラック番号や演奏時間、曲名等の情報、さらにはディスク（ＣＤ、ＤＶＤ）１３１、チューナ１５といった使用ソースに関する情報等が表示される。
図５は、フロントディスプレイ１１およびリアディスプレイ２２の画面表示の一例を示した図であり、（ａ）はオーディオ信号がスピーカ１４４からのみ出力される場合、または１つのヘッドフォンのみが接続された場合の画面表示を示し、（ｂ）は前列左座席と後列右座席の２つのヘッドフォンが接続された場合の画面表示を示している。このように、使用するユーザの数に応じて必要な数の画面表示領域を割り当てるので、表示画面を有効に活用することができ、ユーザにとって見易さを実現することができる。
【００３０】
ここで、ヘッドフォンの接続に基づき、操作画面を設定する際のディスプレイ制御部１８が行う処理について説明する。図６は、ヘッドフォンの接続に基づくディスプレイ制御部１８が行う処理を説明するフローチャートである。図６に示すように、まずオーディオシステム本体部１のオーディオ本体１０においてオーディオの再生が開始されると、再生されたオーディオがスピーカ１４４から出力される（Ｓ１０１）。そして、ディスプレイ制御部１８は、その再生されている曲に関する情報を表示する１つの操作画面をフロントディスプレイ１１およびリアディスプレイ２２に表示する（Ｓ１０２）。
その際に、システムコントローラ１９は、ヘッドフォンジャック１２Ｒ、１２Ｌ、２３Ｒ、２３Ｌにヘッドフォンが接続されるか否かを常時監視し、その結果をディスプレイ制御部１８に出力する（Ｓ１０３）。
【００３１】
そして、ステップＳ１０３において、ディスプレイ制御部１８がヘッドフォンジャック１２Ｒ、１２Ｌ、２３Ｒ、２３Ｌのいずれかにヘッドフォンが接続されたことをシステムコントローラ１９から入力すると、それと同時に、ディスプレイ制御部１８は、オーディオ本体１０の操作パネル１６を介してユーザからスピーカ１４４をオフ（ＯＦＦ）しない指示を受けているか否かをシステムコントローラ１９から取得する（Ｓ１０４）。すなわち、システムコントローラ１９では、デフォルトとして、ヘッドフォンジャック１２Ｒ、１２Ｌ、２３Ｒ、２３Ｌのいずれかにヘッドフォンが接続された際にはスピーカ１４４をオフするように設定されている。したがって、ユーザが操作パネル１６から、ヘッドフォンが接続された場合にもスピーカ１４４をオフしない旨の指示入力を行なった場合にのみ、スピーカ１４４からの出力が継続される。
【００３２】
ステップＳ１０４において、スピーカ１４４をオフしない指示を受けていない場合には、スピーカ１４４をオフするとともに、オーディオ本体１０の操作パネル１６、またはキーシステム部２の後列右座席キー操作部２１Ｒ、後列左座席キー操作部２１Ｌからの入力に基づき、接続されたヘッドフォンにおいて再生するべく、選択され得る曲に関する情報を表示する操作画面に変更し（Ｓ１０５）、その変更された１つの操作画面をフロントディスプレイ１１およびリアディスプレイ２２に表示する（Ｓ１０６）。
ここで、ユーザによる曲の選択等の指示入力は、キーシステム部２の後列右座席キー操作部２１Ｒ、後列左座席キー操作部２１Ｌでは、それぞれに配設した後列右座席キー入力部２４Ｒ、後列左座席キー入力部２４Ｌからのキー入力によって行うことができる。
さらに、別の異なるヘッドフォンジャック１２Ｒ、１２Ｌ、２３Ｒ、２３Ｌにヘッドフォンが接続された際には（Ｓ１０７）、接続されたヘッドフォンに対応した複数の操作画面をフロントディスプレイ１１およびリアディスプレイ２２に表示する（Ｓ１１０）。
【００３３】
一方、ステップＳ１０４において、スピーカ１４４をオフしない指示を受けている場合には、スピーカ１４４から再生されている曲に関する情報を表示する操作画面、さらには、オーディオ本体１０の操作パネル１６、またはキーシステム部２の後列右座席キー操作部２１Ｒ、後列左座席キー操作部２１Ｌからの入力に基づき、接続されたヘッドフォンにおいて再生するべく、選択され得る曲に関する情報を表示する操作画面の２つの操作画面を表示する（Ｓ１０８）。
さらに、別の異なるヘッドフォンジャック１２Ｒ、１２Ｌ、２３Ｒ、２３Ｌにヘッドフォンが接続された際には（Ｓ１０９）、接続されたヘッドフォンに対応した複数の操作画面と、スピーカ１４４から再生されている曲に関する情報を表示する操作画面とをフロントディスプレイ１１およびリアディスプレイ２２に表示する（Ｓ１１０）。
このようにして、フロントディスプレイ１１およびリアディスプレイ２２には、接続されたヘッドフォンの数に対応させた操作画面を表示している。
【００３４】
このような構成により、複数人が同時に聴く異なる曲ごとの操作情報をそれぞれ表示する複数の操作画面を、フロントディスプレイ１１およびリアディスプレイ２２における一つの大きな表示画面上で同時に表示することができるので、個々人が聴きたい曲を容易に、かつ同時に選択することが可能となる。特に、ＭＰ３データのような階層構造を有する音楽ファイルに対して、聴きたい音楽を素早く選曲することが可能となる。
また、同時に異なる曲を聴くユーザの人数に対応させて、表示画面の表示領域を有効に活用することができるので、表示画面に無駄な領域を生じさせずに、必要な曲の情報のみを見易く表示することも可能となる。
【００３５】
ところで、本実施の形態の車載オーディオシステムでは、ヘッドフォンジャック１２Ｒ、１２Ｌ、２３Ｒ、２３Ｌにヘッドフォンが接続されたことを検知して、接続されたヘッドフォンの数に対応して、フロントディスプレイ１１およびリアディスプレイ２２に表示する操作画面の数を設定したが、リモートコントローラ受信部１７が受信するリモートコントローラからの信号によって、フロントディスプレイ１１およびリアディスプレイ２２に表示する操作画面の数を設定することもできる。
本実施の形態の車載オーディオシステムでは、ユーザからの操作入力を行なうリモートコントローラには、自動車内の座席ごとに割り振られた座席指定キーを設けている。具体的には、例えば、前列右座席、前列左座席、後列右座席、後列左座席用にそれぞれ座席指定キーを割り当て、それぞれの座席指定キーから異なるチャンネルの信号が出力されるように構成されている。それにより、リモートコントローラ受信部１７は、ユーザによる座席指定キーの操作により、リモートコントローラからの座席指定信号を受信して、その信号をシステムコントローラ１９に出力する。そして、システムコントローラ１９では、リモートコントローラからの操作入力がいずれの座席のユーザによって行なわれたかを把握することができる。システムコントローラ１９によって把握されたユーザの座席位置に関する情報は、ディスプレイ制御部１８に出力され、ディスプレイ制御部１８は、そのシステムコントローラ１９からのユーザの座席位置に関する情報に基づいて、フロントディスプレイ１１およびリアディスプレイ２２に表示する操作画面の数を設定する。
【００３６】
ここで、リモートコントローラからの操作入力に基づき、操作画面を設定する際のディスプレイ制御部１８が行う処理について説明する。図７は、リモートコントローラからの操作入力に基づくディスプレイ制御部１８が行う処理を説明するフローチャートである。図７に示すように、まずオーディオシステム本体部１のオーディオ本体１０においてオーディオの再生が開始されると、再生されたオーディオがスピーカ１４４から出力される（Ｓ２０１）。そして、ディスプレイ制御部１８は、その再生されている曲に関する情報を表示する１つの操作画面をフロントディスプレイ１１およびリアディスプレイ２２に表示する（Ｓ２０２）。
そして、システムコントローラ１９は、リモートコントローラからの操作入力により特定された座席のユーザから操作開始の信号を入力したか否かを判断し、その結果がディスプレイ制御部１８に出力される（Ｓ２０３）。
【００３７】
ステップＳ２０３において、ディスプレイ制御部１８が特定の座席のユーザから操作開始の信号を入力したことをシステムコントローラ１９から入力すると、それと同時に、ディスプレイ制御部１８は、オーディオ本体１０の操作パネル１６を介してユーザからスピーカ１４４をオフ（ＯＦＦ）しない指示を受けているか否かをシステムコントローラ１９から取得する（Ｓ２０４）。すなわち、システムコントローラ１９では、デフォルトとして、リモートコントローラを介して特定の座席のユーザから操作開始の信号を入力された際にはスピーカ１４４をオフするように設定されている。したがって、ユーザが操作パネル１６から、リモートコントローラから操作開始の信号を入力した場合にもスピーカ１４４をオフしない旨の指示入力を行なった場合にのみ、スピーカ１４４からの出力が継続される。
【００３８】
ステップＳ２０４において、スピーカ１４４をオフしない指示を受けていない場合には、スピーカ１４４をオフするとともに、リモートコントローラからの入力に基づき、指定された特定の座席に接続されたヘッドフォンにおいて再生するべく、選択され得る曲に関する情報を表示する操作画面に変更し（Ｓ２０５）、その変更された１つの操作画面をフロントディスプレイ１１およびリアディスプレイ２２に表示する（Ｓ２０６）。
その後、リモートコントローラから操作を終了する操作入力を入力した場合には、フロントディスプレイ１１およびリアディスプレイ２２の操作画面は、当初の操作画面に戻される。また、リモートコントローラから操作を終了しない場合には、そのままの操作画面を継続して表示する（Ｓ２０７）。
【００３９】
続いて、リモートコントローラから別の異なるチャンネルの操作信号、すなわち異なる座席のユーザからの操作開始の信号を入力した場合には（Ｓ２０８）、ディスプレイ制御部１８は、システムコントローラ１９からの入力信号に基づき、リモートコントローラから操作入力されたすべての座席を把握し、その座席数および座席位置に対応した複数の操作画面をフロントディスプレイ１１およびリアディスプレイ２２に表示する（Ｓ２０９）。その後に、リモートコントローラからのかかる別の異なるチャンネルに関しての操作を終了する操作指示を入力した場合には、フロントディスプレイ１１およびリアディスプレイ２２の操作画面を、最初にリモートコントローラから指定された座席に接続されたヘッドフォンで再生している曲に関する情報を表示する操作画面（１操作画面）に戻す。また、リモートコントローラからのかかる別の異なるチャンネルに関しての操作が終了しない場合には、そのままの操作画面を継続して表示する（Ｓ２１０）。
【００４０】
一方、ステップＳ２０４において、スピーカ１４４をオフしない指示を受けている場合には、スピーカ１４４から再生されている曲に関する情報を表示する操作画面と、リモートコントローラからの入力に基づき、指定された特定の座席に接続されたヘッドフォンにおいて再生するべく、選択され得る曲に関する情報を表示する操作画面との２つの操作画面を表示する（Ｓ２１１）。
その後、リモートコントローラから操作を終了する操作指示を入力した場合には、フロントディスプレイ１１およびリアディスプレイ２２の操作画面を当初の操作画面に戻す。また、リモートコントローラから操作を終了する指示を入力していない場合には、そのままの操作画面を継続して表示する（Ｓ２１２）。
【００４１】
続いて、リモートコントローラから別の異なるチャンネルの操作信号、すなわち異なる座席のユーザからの操作開始の信号を入力した場合には（Ｓ２１３）、ディスプレイ制御部１８は、システムコントローラ１９からの入力信号に基づき、リモートコントローラから操作入力されたすべての座席を把握し、その座席数および座席位置に対応した複数の操作画面をフロントディスプレイ１１およびリアディスプレイ２２に表示する（Ｓ２１４）。その後、リモートコントローラからのかかる別の異なるチャンネルの操作を終了する操作指示を入力した場合には、フロントディスプレイ１１およびリアディスプレイ２２の操作画面を、スピーカ１４４から再生されている曲に関する情報を表示する操作画面と、最初にリモートコントローラから指定された座席に接続されたヘッドフォンで再生している曲に関する情報を表示する操作画面との２操作画面に戻す。また、リモートコントローラから操作を終了する指示を入力していない場合には、そのままの操作画面を継続して表示する（Ｓ２１５）。
このようにして、フロントディスプレイ１１およびリアディスプレイ２２には、リモートコントローラから操作入力された座席の数に対応させた操作画面を表示している。
【００４２】
また、本実施の形態の車載オーディオシステムでは、キーシステム部２に設けた後列右座席ＦｅｌｉＣａ受信部２５Ｒおよび後列左座席ＦｅｌｉＣａ受信部２５Ｌが受信するＦｅｌｉＣａに記憶された情報によって、フロントディスプレイ１１およびリアディスプレイ２２に表示する操作画面の数を設定することもできる。
本実施の形態の車載オーディオシステムでは、キーシステム部２の後列右座席ＦｅｌｉＣａ受信部２５Ｒおよび後列左座席ＦｅｌｉＣａ受信部２５Ｌによって、それぞれの座席に位置するユーザを個人認証することができる。したがって、音楽を聴こうとするユーザは、後列右座席ＦｅｌｉＣａ受信部２５Ｒまたは後列左座席ＦｅｌｉＣａ受信部２５ＬにＦｅｌｉＣａをかざすことにより、後列右座席ＦｅｌｉＣａ受信部２５Ｒまたは後列左座席ＦｅｌｉＣａ受信部２５Ｌは、ユーザの座席位置の把握および個人認証を行い、その情報をシステムコントローラ１９に出力する。システムコントローラ１９では、後列右座席ＦｅｌｉＣａ受信部２５Ｒおよび／または後列左座席ＦｅｌｉＣａ受信部２５Ｌからの入力により、いずれの座席のユーザによって操作入力が行なわれたかを把握することができる。システムコントローラ１９によって把握されたユーザの座席位置に関する情報は、ディスプレイ制御部１８に出力され、ディスプレイ制御部１８は、そのシステムコントローラ１９からのユーザの座席位置に関する情報に基づいて、フロントディスプレイ１１およびリアディスプレイ２２に表示する操作画面の数を設定する。
【００４３】
このように、後列右座席ＦｅｌｉＣａ受信部２５Ｒおよび後列左座席ＦｅｌｉＣａ受信部２５Ｌによってユーザの座席位置の把握および個人認証を行うことで、ユーザが座席場所を移動した場合には、移動した座席で再度ＦｅｌｉＣａを認識させることで、その移動をシステムコントローラ１９によって把握することができる。システムコントローラ１９は、ユーザが座席場所を移動したことをディスプレイ制御部１８に出力し、ディスプレイ制御部１８では、フロントディスプレイ１１およびリアディスプレイ２２に表示する操作画面の位置を、移動された座席位置に対応させて入れ替えることも可能となる。
【００４４】
ここで、ＦｅｌｉＣａ受信部（後列右座席ＦｅｌｉＣａ受信部２５Ｒおよび後列左座席ＦｅｌｉＣａ受信部２５Ｌ）からの入力情報に基づき、操作画面を設定する際のディスプレイ制御部１８が行う処理について説明する。図８は、ＦｅｌｉＣａ受信部からの入力情報に基づくディスプレイ制御部１８が行う処理を説明するフローチャートである。図８に示すように、まずオーディオシステム本体部１のオーディオ本体１０においてオーディオの再生が開始されると、再生されたオーディオがスピーカ１４４から出力される（Ｓ３０１）。そして、ディスプレイ制御部１８は、その再生されている曲に関する情報を表示する１つの操作画面をフロントディスプレイ１１およびリアディスプレイ２２に表示する（Ｓ３０２）。
そして、システムコントローラ１９は、ＦｅｌｉＣａ受信部からの入力情報により特定された座席のユーザから操作開始の信号を入力したか否かを判断し、その結果がディスプレイ制御部１８に出力される（Ｓ３０３）。
【００４５】
ステップＳ３０３において、ディスプレイ制御部１８が特定の座席のユーザから操作開始の信号を入力したことをシステムコントローラ１９から入力すると、それと同時に、ディスプレイ制御部１８は、オーディオ本体１０の操作パネル１６を介してユーザからスピーカ１４４をオフ（ＯＦＦ）しない指示を受けているか否かをシステムコントローラ１９から取得する（Ｓ３０４）。すなわち、システムコントローラ１９では、デフォルトとして、ＦｅｌｉＣａ受信部を介して特定の座席のユーザから操作開始の信号を入力された際にはスピーカ１４４をオフするように設定されている。したがって、ユーザが操作パネル１６から、ＦｅｌｉＣａ受信部から操作開始の信号を入力された場合にもスピーカ１４４をオフしない旨の指示入力を行なった場合のみ、スピーカ１４４からの出力が継続される。
【００４６】
ステップＳ３０４において、スピーカ１４４をオフしない指示を受けていない場合には、スピーカ１４４をオフするとともに、ＦｅｌｉＣａ受信部からの入力情報に基づき、指定された特定の座席に接続されたヘッドフォンにおいて再生するべく、選択され得る曲に関する情報を表示する操作画面に変更し（Ｓ３０５）、その変更された１つの操作画面をフロントディスプレイ１１およびリアディスプレイ２２に表示する（Ｓ３０６）。
その後、システムコントローラ１９が、ＦｅｌｉＣａ受信部から最初に受けたＦｅｌｉＣａとは別のＦｅｌｉＣａから入力情報を入力した場合には（Ｓ３０７）、最初に受けたＦｅｌｉＣａと、後に受けた別のＦｅｌｉＣａとに対応する座席数の数の操作画面を、座席位置に対応させてフロントディスプレイ１１およびリアディスプレイ２２に表示する（Ｓ３０８）。
さらに、ＦｅｌｉＣａ受信部により再度のＦｅｌｉＣａの認識により、ユーザが座席を変更したと判断された場合（Ｓ３０９）には、フロントディスプレイ１１およびリアディスプレイ２２の操作画面を、変更されたそれぞれのユーザの座席位置に対応させて、操作画面の位置を変更する（Ｓ３１０）。
【００４７】
一方、ステップＳ３０４において、スピーカ１４４をオフしない指示を受けている場合には、スピーカ１４４から再生されている曲に関する情報を表示する操作画面と、ＦｅｌｉＣａ受信部からの入力情報に基づき、指定された特定の座席に接続されたヘッドフォンにおいて再生するべく、選択され得る曲に関する関する情報を表示する操作画面との２つの操作画面を表示する（Ｓ３１１）。
その後、システムコントローラ１９が、ＦｅｌｉＣａ受信部から最初に受けたＦｅｌｉＣａとは別のＦｅｌｉＣａから入力情報を入力した場合には（Ｓ３１２）、スピーカ１４４から再生されている曲に関する情報を表示する操作画面と、最初に受けたＦｅｌｉＣａと、後に受けた別のＦｅｌｉＣａとに対応する座席数の数の操作画面を、座席位置に対応させてフロントディスプレイ１１およびリアディスプレイ２２に表示する（Ｓ３１３）。
【００４８】
さらに、ＦｅｌｉＣａ受信部により再度のＦｅｌｉＣａの認識により、ユーザが座席を変更したと判断された場合には（Ｓ３１４）、フロントディスプレイ１１およびリアディスプレイ２２の操作画面を、変更されたそれぞれのユーザの座席位置に対応させて、操作画面の位置を変更する（Ｓ３１５）。
このようにして、フロントディスプレイ１１およびリアディスプレイ２２には、ＦｅｌｉＣａ受信部（後列右座席ＦｅｌｉＣａ受信部２５Ｒおよび後列左座席ＦｅｌｉＣａ受信部２５Ｌ）からの入力情報に基づき、ユーザの座席の数及びユーザの位置に対応させた操作画面を表示している。
【００４９】
以上説明したように、本実施の形態の車載オーディオシステムでは、フロントディスプレイ１１およびリアディスプレイ２２の表示画面上に、操作するユーザの数に応じた複数の操作情報を同時に表示することができるように構成している。このように構成することにより、複数人が同時に聴く異なる曲ごとの操作情報をそれぞれ表示する複数の操作画面を、フロントディスプレイ１１およびリアディスプレイ２２における一つの大きな表示画面上で同時に表示することができるので、個々人が聴きたい曲を容易に、かつ同時に選択することが可能となる。特に、ＭＰ３データのような階層構造を有する音楽ファイルに対して、聴きたい音楽を素早く選曲することが可能となる。
また、同時に異なる曲を聴くユーザの人数に対応させて、表示画面の表示領域を有効に活用することができるので、表示画面に無駄な領域を生じさせずに、必要な曲の情報のみを見易く表示することも可能となる。
【産業上の利用可能性】
【００５０】
本発明の活用例として、複数の操作者（ユーザ）がそれぞれ異なる操作を行なう際に、その操作情報を表示する表示画面を有する装置、例えば、複数のユーザが異なる座席位置に座って視聴する車載オーディオ再生装置（カーオーディオ）、カーナビゲーション装置への適用がある。さらには、複数のテレビ画像を同時に受信するテレビ放送受信装置、複数の映像を同時に出力する映像出力装置等への適用がある。
【図面の簡単な説明】
【００５１】
【図１】車載オーディオシステムを示した概略構成図である。
【図２】オーディオシステム本体部の構成を示したブロック図である。
【図３】キーシステム部の構成を示したブロック図である。
【図４】ヘッドフォンの接続を検出する構成を示した図である。
【図５】フロントディスプレイおよびリアディスプレイの画面表示の一例を示した図である。
【図６】ヘッドフォンの接続に基づきディスプレイ制御部が行う処理を説明するフローチャートである。
【図７】リモートコントローラからの操作入力に基づきディスプレイ制御部が行う処理を説明するフローチャートである。
【図８】ＦｅｌｉＣａ受信部からの入力情報に基づきディスプレイ制御部が行う処理を説明するフローチャートである。
【符号の説明】
【００５２】
１…オーディオシステム本体部、２…キーシステム部、１０…オーディオ本体、１１…フロントディスプレイ、１２Ｒ,１２Ｌ,２３Ｒ,２３Ｌ…ヘッドフォンジャック、２１Ｒ…後列右座席キー操作部、２１Ｌ…後列左座席キー操作部、２２…リアディスプレイ、２４Ｒ…後列右座席キー入力部、２４Ｌ…後列左座席キー入力部、２５Ｒ…後列右座席ＦｅｌｉＣａ受信部、２５Ｌ…後列左座席ＦｅｌｉＣａ受信部、１３…メカニカルコントロール、１３１…記録媒体（ディスク）、１３２…スピンドルモータ、１３３…メカニカル制御部、１３４…光ピックアップ、１３５…メモリ、１３６…データ処理部、１４…オーディオ信号制御部、１４１…音声制御部、１４２…電子ボリューム、１４３…増幅器（ＡＭＰ）、１４４…スピーカ、１４５…ミュート、１５…チューナ、１６…操作パネル、１７…リモートコントローラ受信部、１８…ディスプレイ制御部、１９…システムコントローラ
【図１】
2006012366.tif 000003
【図２】
2006012366.tif 000004
【図３】
2006012366.tif 000005
【図４】
2006012366.tif 000006
【図５】
2006012366.tif 000007
【図６】
2006012366.tif 000008
【図７】
2006012366.tif 000009
【図８】
2006012366.tif 000010